(57)【要約】【課題】コネクタハウジングと電線ホルダ間のガタ付きを抑制でき、電線ホルダにて電線からの振動を防止することができるコネクタを提供する。【解決手段】ホルダ収容室３１ｃを設けたコネクタハウジング３と、電線挿入孔３９に電線２１を挿入してホルダ収容室３１ｃに収容したリアホルダ３２Ａとを備え、リアホルダ３２Ａの電線挿入孔３９の内径寸法Ｄ２より電線２１の外径寸法Ｄ１が大きく、且つ、電線２１を電線挿入孔３９に収容した状態でのリアホルダ３２Ａの外径寸法Ｄ３よりコネクタハウジング３のホルダ収容室３１ｃの内径寸法Ｄ４が小さく設定された。【選択図】図４
2015005422.tif 000002
【特許請求の範囲】
【請求項１】
ホルダ収容室を設けたコネクタハウジングと、電線挿入孔を有し、前記電線挿入孔に電線を挿入して前記ホルダ収容室に収容した電線ホルダとを備えたコネクタであって、
前記電線ホルダの前記電線挿入孔の内径寸法より前記電線の外径寸法が大きく、且つ、前記電線を前記電線挿入孔に収容した状態での前記電線ホルダの外径寸法より前記コネクタハウジングの前記ホルダ収容室の内径寸法が小さく設定されたことを特徴とするコネクタ。
【請求項２】
請求項１記載のコネクタであって、
前記電線ホルダは、電線溝をそれぞれ設けた２つの分割体を有し、２つの前記電線溝より前記電線挿入孔が構成されたことを特徴とするコネクタ。
【請求項３】
請求項２記載のコネクタであって、
２つの前記分割体は、互いを連結する連結部を有することを特徴とするコネクタ。
【発明の詳細な説明】
【技術分野】
【０００１】
本発明は、コネクタハウジングに電線を保持する電線ホルダを備えたコネクタに関する。
【背景技術】
【０００２】
例えば、コネクタハウジングに電線を保持する電線ホルダを備えたコネクタが従来より種々提案されている。かかるコネクタの第１従来例が図１２及び図１３に示されている。図１２及び図１３において、コネクタ１００は、端子１０１を収容するコネクタハウジング１０２とコネクタハウジング１０２の外周を一部包むように配置されたシールドシェル１０２Ａとを有する。コネクタハウジング１０２には、シールドシェル１０２Ａの筒内より後方へ突出する円筒部１０３が設けられている。この円筒部１０３の後端には、リアホルダ（電線ホルダ）１０４が装着されている。円筒部１０３の先端外周には、外径方向へ延びる突起１０５が設けられている。リアホルダ１０４は、本体部１０６より前方に向かって延びるアーム１０７を有し、このアーム１０７の先端に、突起１０５が係止されるロック部１０８が設けられている。
【０００３】
上記構成において、リアホルダ１０４は、コネクタハウジング１０２の円筒部１０３の後端より挿入し、円筒部１０３の先端外周の突起１０５を、リアホルダ１０４のアーム１０７の先端に設けられるロック部１０８に係止する。これにより、リアホルダ１０４はコネクタハウジング１０２に固定される。リアホルダ１０４で電線が保持されるので、電線のコネクタハウジング１０２からの引き抜きを防止できると共に、電線の先端側（例えば端子）に対して引き抜き力が作用することを防止できる。
【０００４】
また、この種のコネクタの第２従来例が図１４に示されている（特許文献１参照）。図１４において、コネクタ１１０は、端子１１１を収容するコネクタハウジング１１２を有する。このコネクタハウジング１１２の後端の収容室１１３には、リテーナ（電線ホルダ）１１４が収容されている。このリテーナ１１４より前端側には、コネクタハウジング１１２と電線Ｗ間を密封するゴム栓１１５が設けられている。リテーナ１１４の外周には、リテーナ１１４の外径方向へ延びて、コネクタハウジング１１２に設けられる係止孔１１６に係止される突起１１７が設けられている。
【０００５】
上記構成において、コネクタハウジング１１２に端子１１１を収容し、この端子１１１に接続される電線Ｗをリテーナ１１４に挿通すると共に、コネクタハウジング１１２の収容室１１３にリテーナ１１４を収容し、リテーナ１１４外周の突起１１７をコネクタハウジング１１２の係止孔１１６に係止することにより、リテーナ１１４をコネクタハウジング１１２に固定する。これによって、リテーナ１１４で電線Ｗが保持されるので、電線Ｗのコネクタハウジング１１２からの引き抜きを防止できると共に、電線Ｗの先端側に引き抜き力が作用することを防止できる。
【先行技術文献】
【特許文献】
【０００６】
【特許文献１】特開２００１−６０４７５号公報
【発明の概要】
【発明が解決しようとする課題】
【０００７】
ところで、第１従来例のコネクタ１００にあって、コネクタハウジング１０２の突起１０５とリアホルダ１０４のロック部１０８は組み付け公差を考慮して設計されるため、コネクタハウジング１０２とリアホルダ１０４間に組み付け公差によるガタ付きが発生する恐れがある。コネクタハウジング１０２とリアホルダ１０４間にガタ付きがあると、リアホルダ１０４にて電線からの振動を遮断できないという問題がある。
【０００８】
また、第２従来例のコネクタ１１０にあっても、コネクタハウジング１１２の収容室１１３の内径とリテーナ１１４の外径は組み付け公差を考慮して設計されるため、組み付け公差によるガタ付きが発生する恐れがある。コネクタハウジング１１２とリテーナ１１４間にガタ付きがあると、前記と同様に、リテーナ１１４にて電線からの振動を遮断できないという問題がある。
【０００９】
そこで、本発明は、前記した課題を解決すべくなされたものであり、コネクタハウジングと電線ホルダ間のガタ付きを抑制でき、電線ホルダにて電線からの振動を遮断することができるコネクタを提供することを目的とする。
【課題を解決するための手段】
【００１０】
本発明は、ホルダ収容室を設けたコネクタハウジングと、電線挿入孔を有し、前記電線挿入孔に電線を挿入して前記ホルダ収容室に収容した電線ホルダとを備えたコネクタであって、前記電線ホルダの前記電線挿入孔の内径寸法より前記電線の外径寸法が大きく、且つ、前記電線を前記電線挿入孔に収容した状態での前記電線ホルダの外径寸法より前記コネクタハウジングの前記ホルダ収容室の内径寸法が小さく設定されたことを特徴とするコネクタである。
【００１１】
前記電線ホルダは、電線溝をそれぞれ設けた２つの分割体を有し、２つの前記電線溝より前記電線挿入孔が構成されたものであっても良い。２つの前記分割体は、互いを連結する連結部を有するものであっても良い。
【発明の効果】
【００１２】
本発明によれば、電線ホルダの電線挿入孔に電線を挿入し、電線ホルダをコネクタハウジングのホルダ収容室に収容すると、電線ホルダの電線挿入孔の内径寸法より電線の外径寸法が大きく、電線ホルダによる電線の締め代が働くため、この電線の弾性反力で電線ホルダの外径寸法が大きくなり、電線ホルダとコネクタハウジングのホルダ収容室間の隙間がなくなって電線ホルダがコネクタハウジングに押し付けられる。これにより、電線と電線ホルダ間のガタ付きのみならず、コネクタハウジングと電線ホルダ間のガタ付きも発生しない。従って、電線ホルダにて電線からの振動を遮断することができる。
【図面の簡単な説明】
【００１３】
【図１】本発明の第１実施形態を示し、コネクタの組立斜視図である。
【図２】本発明の第１実施形態を示し、コネクタの分解斜視図である。
【図３】本発明の第１実施形態を示し、裏面側から見たコネクタの組立て途中を示す斜視図である。
【図４】本発明の第１実施形態を示し、コネクタの縦断面図である。
【図５】本発明の第１実施形態を示し、コネクタの横断面図である。
【図６】本発明の第１実施形態を示し、ロック部などの構造を説明する縦断面図である。
【図７】本発明の第１実施形態を示し、ロック部などの構造を説明する一部破断した斜視図である。
【図８】本発明の第２実施形態を示し、（ａ）〜（ｃ）はコネクタへのリアホルダの組み付け手順を示す各側面図である。
【図９】本発明の第２実施形態を示し、（ａ）〜（ｃ）はコネクタへのリアホルダの組み付け手順を示す各側面図である。
【図１０】本発明の第２実施形態を示し、リアホルダの連結前の斜視図である。
【図１１】本発明の第２実施形態を示し、（ａ）はリアホルダの分割体の平面図、（ｂ）はリアホルダの分割体の正面図、（ｃ）はリアホルダの分割体の側面図である。
【図１２】第１従来例を示し、コネクタの組立斜視図である。
【図１３】第１従来例を示し、（ａ）はコネクタの縦断面図、（ｂ）は（ａ）のＡ部の拡大断面図である。
【図１４】第２従来例を示し、コネクタの縦断面図である。
【発明を実施するための形態】
【００１４】
以下、本発明の実施形態を図面に基づいて説明する。
【００１５】
（第１実施形態）
図１〜図７は本発明の第１実施形態を示す。この第１実施形態のコネクタ１Ａは、インバータケース（図示せず）に接続される高圧雌コネクタ型のシールドコネクタである。コネクタ１Ａは、インバータ内部にある端子台（図示せず）に嵌合することによりインバータに取り付けられる。なお、図７は図６（縦断面図）に対応する斜視図で、ロック部３５〜３８、５２〜５５の構造を分かりやすく説明するためコネクタハウジング３、シールドシェル４及びプロテクタ５などを一部破断した状態で示してある。
【００１６】
コネクタ１Ａは、図１及び図２に示すように、左右一対の端子２を収容する略筒状のコネクタハウジング３と、このコネクタハウジング３の外周に配置されたシールドシェル４と、コネクタハウジング３の後方を覆うように配置されたプロテクタ５とを備えている。コネクタハウジング３の外周面及びシールドシェル４の内周面間はシェルパッキン６により密封され、コネクタハウジング３の外周にはユニットパッキン７が設けられている。
【００１７】
一対の端子２には電線２１が接続されている。この電線２１は、コネクタハウジング３内より電線引出方向（図７の矢印Ａで示す方向）に延び、途中で下方に折り曲がると共に、ゴムブーツ２２により覆われている。更に、このゴムブーツ２２はプロテクタ５により覆われている。
【００１８】
コネクタハウジング３には、電線引出方向の直交方向に張り出すフランジ部３０と、端子２を収容する端子収容室３１ａと、端子収容室３１ａに連通する電線引出孔３１ｂとが設けられている。電線引出孔３１ｂの一部は、ホルダ収容室３１ｃとして形成されている。ホルダ収容室３１ｃには、電線２１を保持するリアホルダ（電線ホルダ）３２が収容されている。ホルダ収容室３１ｃより前方位置には、コネクタハウジング３と電線２１間を密封するゴム栓３３とが収容されている。
【００１９】
リアホルダ３２Ａは、互いに組み付けされる２つの分割体３２ａ，３２ｂより構成されている。各分割体３２ａ，３２ｂは、弾性アーム係止部３８をそれぞれ有する。リアホルダ３２Ａは、ホルダ収容室３１ｃの適正位置まで挿入されると、各弾性アーム係止部３８がコネクタハウジング３の被係止突部４０に係止される。ここで、弾性アーム係止部３８と被係止突部４０は、組み付け公差を考慮して設けられる。
【００２０】
２つの分割体３２ａ，３２ｂは、それぞれ半円状の電線溝３９ａ，３９ｂを一対有する。リアホルダ３２Ａは、２つの分割体３２ａ，３２ｂの組み付け状態で、各一対の電線溝３９ａ，３９ｂにより電線挿入孔３９が２組構成される。
【００２１】
各電線挿入孔３９の各内径寸法Ｄ２より電線２１の外径寸法Ｄ１が大きく設定されている（電線２１の外径寸法Ｄ１＞電線挿入孔３９の各内径寸法Ｄ２）。また、部品単体でのリアホルダ３２Ａの外径寸法Ｄ３よりコネクタハウジング３のホルダ収容室３１ｃの内径寸法Ｄ４が大きく設定されている（部品単体でのリアホルダ３２Ａの外径寸法Ｄ３＜コネクタハウジング３のホルダ収容室３１ｃの内径寸法Ｄ４）。
【００２２】
更に、リアホルダ３２Ａによる電線２１の締め代は、コネクタハウジング３とリアホルダ３２Ａ間の隙間と同等かそれより大きく設定されている（電線２１の外径寸法Ｄ１−電線挿入孔３９の各内径寸法Ｄ２≧コネクタハウジング３のホルダ収容室３１ｃの内径寸法Ｄ４−部品単体でのリアホルダ３２Ａの外径寸法Ｄ３）。なお、後述するように、電線２１を電線挿入孔３９に収容した状態では、リアホルダ３２Ａによる電線２１の締め代でリアホルダ３２Ａが押圧されて拡径するため、リアホルダ３２Ａの外径寸法Ｄ３が大きくなる。
【００２３】
コネクタハウジング３の後端側に位置するフランジ部３０の面３４には、プロテクタ５の後述する側板部５８、５９の上方に配置される左右一対のハウジング側ロック部３５、３６が設けられている。各ハウジング側ロック部３５、３６は、フランジ部３０の面３４より突出し、電線引出方向に延びる被係止部３５ａ、３６ａと、被係止部３５ａ、３６ａに係止されたロック部５２、５３の電線引出方向への変移を阻止するストッパ部３５ｂ、３６ｂとをそれぞれ有する。
【００２４】
また、コネクタハウジング３には、左右一対の前記ハウジング側ロック部３５、３６と共に、プロテクタ５の側板部５８、５９より内側に配置される左右一対のハウジング側補助ロック部３７、３８がそれぞれ設けられている。各ハウジング側補助ロック部３７、３８は、フランジ部３０の面３４より突出し、電線引出方向に延びる位置規制部３７ａ、３８ａと、後述するプロテクタ側補助ロック部５４、５５の電線引出方向への変移を阻止するストッパ部３７ｂ、３８ｂとをそれぞれ有する。
【００２５】
シールドシェル４には、前記ハウジング側ロック部３５、３６がそれぞれ挿通される挿通孔４１、４２と、前記ハウジング側補助ロック部３７、３８がそれぞれ挿通される挿通孔４３、４４とが設けられている。
【００２６】
プロテクタ５は、平板状の底板部５６及び上方に湾曲する天板部５７と、これらの底板部５６及び天板部５７の左右端部に立設される左右一対の側板部５８、５９とを有し、一方の側板部５８に設けられるヒンジ５１を介して上下開閉可能に形成されている。
【００２７】
プロテクタ５の側板部５８、５９の上方には、ハウジング側ロック部３５、３６にそれぞれ係止される左右一対のプロテクタ側ロック部５２、５３が設けられている。これらのロック部５２、５３は、側板部５８、５９より上方に突出し、電線引出方向の直交方向（図７の矢印Ｂ、Ｃで示す方向）に撓み変形するアーム部５２ａ、５３ａと、アーム部５２ａ、５３ａの先端側に設けられた係止爪部５２ｂ、５３ｂとをそれぞれ有する。
【００２８】
また、プロテクタ５には、左右一対の前記プロテクタ側ロック部５２、５３と共に、左右一対のプロテクタ側補助ロック部５４、５５がそれぞれ設けられている。各プロテクタ側補助ロック部５４、５５は、プロテクタ５の側板部５８、５９より内側に配置されている。各プロテクタ側補助ロック部５４、５５の上部には、上方ストッパ段差面５４ａ、５５ａが設けられており、プロテクタ５の組み付け時に、上方ストッパ段差面５４ａ、５５ａに位置規制部３７ａ、３８ａがそれぞれ当接することにより、プロテクタ５の位置決めが行われる。
【００２９】
上記構成において、当該コネクタ１Ａの組立時に、コネクタハウジング３にシェルパッキン６及びシールドシェル４を装着して、コネクタハウジング３に端子２、電線２１、及びリアホルダ３２Ａを組み込む。その際、分割体３２ａ、３２ｂの電線溝３９ａ，３９ｂに電線２１を挿入して分割体３２ａ、３２ｂを互いに組み合わせることにより、リアホルダ３２Ａを一体化して電線引出孔３１ｂに収容する。
【００３０】
その結果、リアホルダ３２Ａの電線挿入孔３９の内径寸法Ｄ２より電線２１の外径寸法Ｄ１が大きいため、リアホルダ３２Ａによる電線２１の締め代が働き、電線２１の弾性反力でリアホルダ３２Ａが拡径してリアホルダ３２Ａの外径寸法Ｄ３が大きくなり、リアホルダ３２Ａとコネクタハウジング３のホルダ収容室３１ｃ間の隙間がなくなる。これにより、リアホルダ３２Ａが電線２１の弾性反力でコネクタハウジング３に対して押し付けられるので、コネクタハウジング３とリアホルダ３２Ａ間のガタ付きを抑制でき、リアホルダ３２Ａにて電線２１からの振動を遮断することができる。また、電線２１とリアホルダ３２Ａ間のガタ付きも抑制できる。
【００３１】
次いで、コネクタハウジング３から引き出された電線２１を覆うようにゴムブーツ２２を装着し、プロテクタ５を電線引出方向の直交方向（図７の矢印Ｄで示す方向）よりコネクタハウジング３に組み付けする。これにより、コネクタハウジング３のフランジ部３０の面３４に当接したシールドシェル４の箇所をコネクタハウジング３のフランジ部３０とプロテクタ５に挟み込み、この状態でハウジング側ロック部３５、３６とプロテクタ側ロック部５２、５３を係止するので、シールドシェル４がプロテクタ５を介してコネクタハウジング３に対して固定される。
【００３２】
また、上記のようにプロテクタ５が電線引出方向の直交方向よりコネクタハウジング３に組み付けされると、一対のプロテクタ側ロック部５２、５３は、アーム部５２ａ、５３ａがそれぞれ互いに逆方向、すなわち図７の矢印Ｂ、Ｃで示す方向に撓み変形して各係止爪部５２ｂ、５３ｂが被係止部３５ａ、３６ａに係止する。同時に、一対のプロテクタ側補助ロック部５４、５５は、ハウジング側補助ロック部３７、３８の各位置規制部３７ａ、３８ａと各ストッパ部３７ｂ、３８ｂに係止する。
【００３３】
以上説明したように、本実施形態によれば、リアホルダ３２Ａの電線挿入孔３９に電線２１を挿入し、リアホルダ３２Ａをコネクタハウジング３のホルダ収容室３１ｃに収容すると、リアホルダ３２Ａによる電線２１の締め代が働くためリアホルダ３２Ａとコネクタハウジング３のホルダ収容室３１ｃ間の隙間がなくなってリアホルダ３２Ａがコネクタハウジング３に押し付けられるので、電線２１とリアホルダ３２Ａ間にガタ付きが発生しないのみならず、コネクタハウジング３とリアホルダ３２Ａ間にガタ付きが発生しない。これにより、リアホルダ３２Ａにて電線２１からの振動を遮断することができる。
【００３４】
本実施形態によれば、リアホルダ３２Ａを分割した状態で分割体３２ａ、３２ｂの電線溝３９ａ，３９ｂにそれぞれ電線２１を挿入し、分割体３２ａ、３２ｂを互いに組み合わせてコネクタハウジング３のホルダ収容室３１ｃに収容するので、リアホルダ３２Ａ及び電線２１の組み込み作業を容易に行うことができる。
【００３５】
（第２実施形態）
図８〜図１１は本発明の第２実施形態を示す。図８及び図９に示すように、この第２実施形態のコネクタ１Ｂは、端子２と、端子２を収容するコネクタハウジング３とを備えている。
【００３６】
コネクタハウジング３には、前記第１実施形態と同様に、端子収容室（図示せず）と電線引出孔（図示せず）が設けられている。電線引出孔の一部がホルダ収容室（図示せず）として形成されている。端子収容室には、電線２１に接続された端子２が収容されている。電線引出孔には、電線２１に装着されたゴム栓３３が収容されている。ホルダ収容室には、電線２１に装着された電線ホルダであるリアホルダ３２Ｂが収容されている。
【００３７】
リアホルダ３２Ｂは、図１０及び図１１に詳しく示すように、前記第１実施形態のものと同様に、互いに組み付けされる２つの分割体３２ａ，３２ｂより構成されている。各分割体３２ａ，３２ｂは、係止爪部４５をそれぞれ有する。リアホルダ３２Ｂは、ホルダ収容室の適正位置まで挿入されると、各係止爪部４５がコネクタハウジング３の被係止部（図示せず）に係止される。ここで、係止爪部４５と被係止突部（図示せず）は、組み付け公差を考慮して設けられる。
【００３８】
各分割体３２ａ，３２ｂは、それぞれ半円状の電線溝３９ａ，３９ｂを一対有する。各電線溝３９ａ，３９ｂの内周には、複数のリブ４６が設けられている。各分割体３２ａ，３２ｂには、互いを連結する連結部４７がそれぞれ設けられている。連結部４７は、各分割体３２ａ，３２ｂの互いの突き合わせ面４８より突出する複数箇所の嵌合壁４７ａと、相手側の嵌合壁４７ａの対向位置に開口し、各嵌合壁４７が嵌合される複数箇所の嵌合溝４７ｂと、互いの突き合わせ面４７より突出するロックアーム４７ｃと、ロックアーム４７ｃが係止する係止部４７ｄとを備えている。リアホルダ３２Ｂは、互いの嵌合壁４７ａが嵌合溝４７ｂにそれぞれ嵌合され、且つ、互いのロックアーム４７ｃが係止部４７ｄに係止されることによって連結される。複数箇所の嵌合壁４７ａと嵌合溝４７ｂは、２つの分割体３２ａ，３２ｂの位置合わせ機能と連結強化機能を有する。
【００３９】
リアホルダ３２Ｂは、２つの分割体３２ａ，３２ｂの組み付け状態で、各一対の電線溝３９ａ，３９ｂにより電線挿入孔３９が２組構成される。前記第１実施形態と同様に、各電線挿入孔３９の各内径寸法Ｄ２より電線２１の外径寸法Ｄ１が大きく設定されている（電線２１の外径寸法Ｄ１＞電線挿入孔３９の各内径寸法Ｄ２）。また、部品単体でのリアホルダ３２Ｂの外径寸法Ｄ３よりコネクタハウジング３のホルダ収容室の内径寸法Ｄ４が大きく設定されている（部品単体でのリアホルダ３２Ｂの外径寸法Ｄ３＜コネクタハウジング３のホルダ収容室の内径寸法Ｄ４）。
【００４０】
電線２１へのリアホルダ３２Ｂの組み付け工程、及び、ゴム栓３２、リアホルダ３２Ｂ等のコネクタハウジング３への組み付け工程は、図８及び図９に示されている。前記第１実施形態と同様であり、説明を省略する。
【００４１】
この第２実施形態のコネクタ１Ｂにおいても、前記第１実施形態と同様の理由によって、電線２１とリアホルダ３２Ｂ間のガタ付きのみならず、コネクタハウジング３とリアホルダ３２Ｂ間のガタ付きも発生しない。従って、リアホルダ３２Ｂにて電線２１からの振動を遮断することができる。又、各分割体３２ａ，３２ｂには、各電線溝３９ａ，３９ｂの内周に複数のリブ４６が設けられている。リブ４６が電線２１に食い込むことによって電線２１とリアホルダ３２Ｂ間の固着力の向上が図られている。
【００４２】
２つの分割体３２ａ、３２ｂは、互いを連結する連結部４７を有する。従って、リアホルダ３２Ｂは、電線２１への装着性が良く、しかも、２つの分割体３２ａ，３２ｂが強固に連結されて、電線２１とリアホルダ３２Ｂ間、及び、コネクタハウジング３とリアホルダ３２Ｂ間のガタ付きを確実に防止する。
【００４３】
連結部４７は、嵌合壁４７ａとこれが嵌合される嵌合溝４７ｂを複数箇所に有する。従って、２つの分割体３２ａ、３２ｂは圧縮力を受けた状態でも適正な連結形態を保持でき、電線２１とリアホルダ３２Ｂ間、及び、コネクタハウジング３とリアホルダ３２Ｂ間のガタ付きを確実に防止する。
【符号の説明】
【００４４】
１Ａ，１Ｂ  コネクタ
２  端子
３  コネクタハウジング
２１  電線
３１ｃ  ホルダ収容室
３２Ａ，３２Ｂ  リアホルダ（電線ホルダ）
３２ａ、３２ｂ  分割体
３９  電線挿入孔
３９ａ、３９ｂ  電線溝
４７  連結部
【図１】
2015005422.tif 000003
【図２】
2015005422.tif 000004
【図３】
2015005422.tif 000005
【図４】
2015005422.tif 000006
【図５】
2015005422.tif 000007
【図６】
2015005422.tif 000008
【図７】
2015005422.tif 000009
【図８】
2015005422.tif 000010
【図９】
2015005422.tif 000011
【図１０】
2015005422.tif 000012
【図１１】
2015005422.tif 000013
【図１２】
2015005422.tif 000014
【図１３】
2015005422.tif 000015
【図１４】
2015005422.tif 000016